(57)【要約】【課題】本発明は、レンズプリズムモジュールを提供する。【解決手段】当該レンズプリズムモジュールは、固定台と、固定台に回動可能に取り付けられる回転台と、回転台に取り付けられ、回転台とともに回動可能なプリズムと、固定台と回転台との間に設けられ、回転台を固定台に対して回転駆動するための回転駆動アセンブリと、回転駆動アセンブリに電気的に接続される回路板とを備え、回転台は、プリズムを取り付けて位置決めする基台と、基台の固定台に向かう一方側に設けられ、基台が回動するように支持する回動接続スタンドとを備え、回転駆動アセンブリは、記憶合金で製作され、回路板で伝送される電気信号の制御下で変形することにより、基台を回動駆動する。本発明では、基台と回動接続スタンドが直接接続されることで、レンズプリズムモジュールの構成を簡略化し、レンズプリズムモジュールの製作コストを低減できる。【選択図】図１
2021531485.tif 000002
【特許請求の範囲】
【請求項１】
レンズプリズムモジュールであって、
固定台と、前記固定台に回動可能に取り付けられる回転台と、前記回転台に取り付けられ、前記回転台とともに回動可能なプリズムと、前記固定台と前記回転台との間に設けられ、前記回転台を前記固定台に対して回転駆動する回転駆動アセンブリと、前記回転駆動アセンブリに電気的に接続される回路板とを備え、前記回転台は、前記プリズムを取り付けて位置決めするための基台と、前記基台の前記固定台に向かう一方側に設けられ、前記基台が回動するように支持するための回動接続スタンドと、を備え、前記回転駆動アセンブリは、記憶合金で製作され、前記回路板で伝送される電気信号の制御下で変形することにより、前記基台を回動駆動することを特徴とするレンズプリズムモジュール。
【請求項２】
前記基台は、前記プリズムを受ける基板を備え、前記基板は、間隔を隔てて設けられる２つの第１側縁と、間隔を隔てて対向設置され、それぞれ前記第１側縁に垂直に接続される２つの第２側縁とを備え、前記回転駆動アセンブリは、それぞれ２つの前記第２側縁から前記基板と前記固定台を接続する第１記憶合金及び第２記憶合金と、それぞれ２つの前記第１側縁から前記基板と前記固定台を接続する第３記憶合金及び第４記憶合金とを備え、前記第１記憶合金及び前記第２記憶合金は、前記基板によって前記プリズムを第１回動軸の周りに回動させるように前記基板を駆動し、前記第３記憶合金及び前記第４記憶合金は、前記基板によって前記プリズムを第２回動軸の周りに回動させるように前記基板を駆動し、前記第１回動軸と前記第２回動軸とは、直交することを特徴とする請求項１に記載のレンズプリズムモジュール。
【請求項３】
前記回動接続スタンドは、第１弾性アーム、第２弾性アーム、第３弾性アーム及び第４弾性アームを備え、前記第１弾性アーム、前記第２弾性アーム、前記第３弾性アーム及び前記第４弾性アームの一端は、前記固定台にまとめて固定され、前記第１弾性アーム及び前記第２弾性アームは、それぞれ前記基板の２つの第２側縁に向けて発散して分布することによって、前記基板により前記プリズムを第１回動軸の周りに回動させるように前記基板を支持し、前記第３弾性アーム及び前記第４弾性アームの他端は、それぞれ前記基板の２つの第１側縁に向けて発散して分布することによって、前記基板により前記プリズムを第２回動軸の周りに回動させるように前記基板を支持することを特徴とする請求項２に記載のレンズプリズムモジュール。
【請求項４】
前記基台は、２つの側板をさらに備え、２つの前記側板は、それぞれ前記基板の２つの前記第２側縁から前記固定台に背向する方向に向かって延在し、且つ前記基板と２つの前記側板とは取り囲んで収容溝を形成し、前記プリズムは、前記収容溝内に取り付けられていることを特徴とする請求項３に記載のレンズプリズムモジュール。
【請求項５】
前記固定台は、横向き支持板、縦向き支持板及び支持ボスを備え、前記縦向き支持板は、前記横向き支持板の一端から折り曲げて延在するとともに、前記横向き支持板とともに取り囲んで凹溝を形成し、前記支持ボスは、前記凹溝内に凸設され、且つ前記支持ボスは、前記縦向き支持板から傾斜して前記横向き支持板まで延在する斜面を有し、前記回動接続スタンドは、前記斜面に当接することを特徴とする請求項４に記載のレンズプリズムモジュール。
【請求項６】
前記第１記憶合金の両端は、いずれも前記支持ボスの一方の側面に固定され、前記第１記憶合金は、中部が一方の前記側板に引っ掛かることでＶ字状を形成し、前記第２記憶合金の両端は、いずれも前記支持ボスの他方の側面に固定され、前記第２記憶合金は、中部が他方の前記側板に引っ掛かることでＶ字状を形成することを特徴とする請求項５に記載のレンズプリズムモジュール。
【請求項７】
前記レンズプリズムモジュールは、間隔を隔てて前記支持ボスの一方側に取り付けられる２つの第１接続端子と、間隔を隔てて前記支持ボスの他方側に取り付けられる２つの第２接続端子とをさらに備え、前記第１記憶合金の両端は、それぞれ２つの前記第１接続端子に接続され、前記第２記憶合金の両端は、それぞれ２つの前記第２接続端子に接続され、及び／又は、
２つの前記側板の前記収容溝に背向する一方側には、いずれも第１掛け柱が凸設され、前記第１記憶合金の中部は、一方の前記側板の前記第１掛け柱に引っ掛かり、前記第２記憶合金の中部は、他方の前記側板の前記第１掛け柱に引っ掛かることを特徴とする請求項６に記載のレンズプリズムモジュール。
【請求項８】
前記第３記憶合金の両端は、いずれも前記横向き支持板の前記凹溝に背向する側面に固定され、前記第３記憶合金は、中部が前記基板の一方の前記第１側縁に引っ掛かることでＶ字状を形成し、前記第４記憶合金の両端は、いずれも前記縦向き支持板の前記凹溝に背向する側面に固定され、前記第４記憶合金は、中部が前記基板の他方の前記第１側縁に引っ掛かることでＶ字状を形成することを特徴とする請求項７に記載のレンズプリズムモジュール。
【請求項９】
前記レンズプリズムモジュールは、間隔を隔てて前記横向き支持板の前記凹溝に背向する面に取り付けられる２つの第３接続端子と、間隔を隔てて前記縦向き支持板の前記凹溝に背向する側面に取り付けられる２つの第４接続端子とを備え、前記第３記憶合金の両端は、それぞれ２つの前記第３接続端子に接続され、前記第４記憶合金の両端は、それぞれ２つの前記第４接続端子に接続され、及び／又は、
前記基板の前記凹溝に向かう一方側において、２つの前記第１側縁に近接する部位には、いずれも第２掛け柱が凸設され、前記第３記憶合金の中部は、一方の前記第２掛け柱に引っ掛かり、前記第４記憶合金の中部は、他方の前記第２掛け柱に引っ掛かることを特徴とする請求項８に記載のレンズプリズムモジュール。
【請求項１０】
前記横向き支持板の前記支持ボスに背向する側面には、前記第３記憶合金を避けるための第１退避溝が設けられ、前記縦向き支持板の前記支持ボスに背向する側面には、前記第４記憶合金を避けるための第２退避溝が設けられ、及び／又は、
前記レンズプリズムモジュールは、外枠をさらに備え、前記固定台、前記回転台、前記プリズム、前記回転駆動アセンブリ、前記第１接続端子、前記第２接続端子、前記第３接続端子及び前記第４接続端子は、いずれも前記外枠内に位置し、且つ前記第１接続端子、前記第２接続端子、前記第３接続端子及び前記第４接続端子は、いずれも前記回路板に電気的に接続され、前記外枠には、光線が前記プリズムに入るための第１開口と、光線が前記プリズムから屈折して出射するための第２開口とが開設され、前記第１開口及び前記第２開口は、それぞれ前記外枠の隣り合う２つの側面に設けられていることを特徴とする請求項９に記載のレンズプリズムモジュール。
【発明の詳細な説明】
【技術分野】
【０００１】
本発明は、光学結像の技術分野に関し、特に携帯電話などの携帯電子機器内に適用されるレンズプリズムモジュールに関する。
【背景技術】
【０００２】
近年、結像技術が進歩し、結像機能を有する電子製品が普及するにつれ、光学レンズは、各種の電子製品に広く用いられている。
【０００３】
従来技術においてレンズプリズムモジュールは、固定台と、回転台と、回転台に取り付けられるプリズムと、回転台と固定台を回動接続する回動接続アセンブリと、回転台が固定台に対して回動するように駆動するための回転駆動アセンブリとを備え、ここで、回動接続アセンブリは、保持スタンド、バネフレーム、仕切り板、ボール及び磁性鋼などの複数の部材で組み立てられて構成され、その構成が複雑であり、部材の数が多く、加工組立が煩雑であり、コストが高く、量産に適しない。
【発明の概要】
【発明が解決しようとする課題】
【０００４】
従って、従来のレンズプリズムモジュールの内部構造が複雑になるという問題を解決するためのレンズプリズムモジュールを提供する必要がある。
【課題を解決するための手段】
【０００５】
本発明は、レンズ内においてプリズムの角度の調節に際して簡単な構造を有するレンズプリズムモジュールを提供することを目的とする。
【０００６】
本発明の技術案は以下の通りである。
上記目的を達成するために、本発明は、レンズプリズムモジュールを提供し、当該レンズプリズムモジュールは、固定台と、前記固定台に回動可能に取り付けられる回転台と、前記回転台に取り付けられ、前記回転台とともに回動可能なプリズムと、前記固定台と前記回転台との間に設けられ、前記回転台を前記固定台に対して回転駆動する回転駆動アセンブリと、前記回転駆動アセンブリに電気的に接続される回路板とを備え、前記回転台は、前記プリズムを取り付けて位置決めするための基台と、前記基台の前記固定台に向かう一方側に設けられ、前記基台が回動するように支持するための回動接続スタンドと、を備え、前記回転駆動アセンブリは、記憶合金で製作され、前記回路板で伝送される電気信号の制御下で変形することにより、前記基台を回動駆動する。
【０００７】
１種の改良として、前記基台は、前記プリズムを受ける基板を備え、前記基板は、間隔を隔てて設けられる２つの第１側縁と、間隔を隔てて対向設置され、それぞれが前記第１側縁に垂直に接続される２つの第２側縁とを備え、前記回転駆動アセンブリは、それぞれ２つの前記第２側縁から前記基板と前記固定台を接続する第１記憶合金及び第２記憶合金と、それぞれ２つの前記第１側縁から前記基板と前記固定台を接続する第３記憶合金及び第４記憶合金とを備え、前記第１記憶合金及び前記第２記憶合金は、前記基板によって前記プリズムを第１回動軸の周りに回動させるように前記基板を駆動し、前記第３記憶合金及び前記第４記憶合金は、前記基板によって前記プリズムを第２回動軸の周りに回動させるように前記基板を駆動し、前記第１回動軸と前記第２回動軸とは、直交する。 
【０００８】
１種の改良として、前記回動接続スタンドは、第１弾性アーム、第２弾性アーム、第３弾性アーム及び第４弾性アームを備え、前記第１弾性アーム、前記第２弾性アーム、前記第３弾性アーム及び前記第４弾性アームの一端は、前記固定台にまとめて固定され、前記第１弾性アーム及び前記第２弾性アームは、それぞれ前記基板の２つの第２側縁に向けて発散して分布することによって、前記基板により前記プリズムを第１回動軸の周りに回動させるように前記基板を支持し、前記第３弾性アーム及び前記第４弾性アームの他端は、それぞれ前記基板の２つの第１側縁に向けて発散して分布することによって、前記基板により前記プリズムを第２回動軸の周りに回動させるように前記基板を支持する。
【０００９】
１種の改良として、前記基台は、２つの側板をさらに備え、２つの前記側板は、それぞれ前記基板の２つの前記第２側縁から前記固定台に背向する方向に向かって延在し、且つ前記基板と２つの前記側板とは取り囲んで収容溝を形成し、前記プリズムは、前記収容溝内に取り付けられている。
【００１０】
１種の改良として、前記固定台は、横向き支持板、縦向き支持板及び支持ボスを備え、前記縦向き支持板は、前記横向き支持板の一端から折り曲げて延在するとともに、前記横向き支持板とともに取り囲んで凹溝を形成し、前記支持ボスは、前記凹溝内に凸設され、且つ前記支持ボスは、前記縦向き支持板から傾斜して前記横向き支持板まで延在する斜面を有し、前記回動接続スタンドは、前記斜面に当接する。
【００１１】
１種の改良として、前記第１記憶合金の両端は、いずれも前記支持ボスの一方の側面に固定され、前記第１記憶合金は、中部が一方の前記側板に引っ掛かることでＶ字状を形成し、前記第２記憶合金の両端は、いずれも前記支持ボスの他方の側面に固定され、前記第２記憶合金は、中部が他方の前記側板に引っ掛かることでＶ字状を形成する。
【００１２】
１種の改良として、前記レンズプリズムモジュールは、間隔を隔てて前記支持ボスの一方側に取り付けられる２つの第１接続端子と、間隔を隔てて前記支持ボスの他方側に取り付けられる２つの第２接続端子とをさらに備え、前記第１記憶合金の両端は、それぞれ２つの前記第１接続端子に接続され、前記第２記憶合金の両端は、それぞれ２つの前記第２接続端子に接続され、及び／又は、
２つの前記側板の前記収容溝に背向する一方側にいずれも第１掛け柱が凸設され、前記第１記憶合金の中部は、一方の前記側板の前記第１掛け柱に引っ掛かり、前記第２記憶合金の中部は、他方の前記側板の前記第１掛け柱に引っ掛かる。
【００１３】
１種の改良として、前記第３記憶合金の両端は、いずれも前記横向き支持板の前記凹溝に背向する側面に固定され、前記第３記憶合金は、中部が前記基板の一方の前記第１側縁に引っ掛かることでＶ字状を形成し、前記第４記憶合金の両端は、いずれも前記縦向き支持板の前記凹溝に背向する側面に固定され、前記第４記憶合金は、中部が前記基板の他方の前記第１側縁に引っ掛かることでＶ字状を形成する。
【００１４】
１種の改良として、前記レンズプリズムモジュールは、間隔を隔てて前記横向き支持板の前記凹溝に背向する面に取り付けられる２つの第３接続端子と、間隔を隔てて前記縦向き支持板の前記凹溝に背向する側面に取り付けられる２つの第４接続端子とを備え、前記第３記憶合金の両端は、それぞれ２つの前記第３接続端子に接続され、前記第４記憶合金の両端は、それぞれ２つの前記第４接続端子に接続され、及び／又は、
前記基板の前記凹溝に向かう一方側において、２つの前記第１側縁に近接する部位には、いずれも第２掛け柱が凸設され、前記第３記憶合金の中部は、一方の前記第２掛け柱に引っ掛かり、前記第４記憶合金の中部は、他方の前記第２掛け柱に引っ掛かる。
【００１５】
１種の改良として、前記横向き支持板の前記支持ボスに背向する側面には、前記第３記憶合金を避けるための第１退避溝が設けられ、前記縦向き支持板の前記支持ボスに背向する側面には、前記第４記憶合金を避けるための第２退避溝が設けられ、及び／又は、
前記レンズプリズムモジュールは、外枠をさらに備え、前記固定台、前記回転台、前記プリズム、前記回転駆動アセンブリ、前記第１接続端子、前記第２接続端子、前記第３接続端子及び前記第４接続端子は、いずれも前記外枠内に位置し、且つ前記第１接続端子、前記第２接続端子、前記第３接続端子及び前記第４接続端子は、いずれも前記回路板に電気的に接続され、前記外枠には、光線が前記プリズムに入るための第１開口と、光線が前記プリズムから屈折して出射するための第２開口とが開設され、前記第１開口及び前記第２開口は、それぞれ前記外枠の隣り合う２つの側面に設けられている。
【発明の効果】
【００１６】
本発明の有益な効果は以下の通りである。
本発明では、回転台は、基台と回動接続スタンドが直接接続されることによって構成され、回転台は、それに取り付けられる回動接続スタンドを介して固定台に回動接続されるため、回転台と固定台との間に、別途他の接続部材を設ける必要がなく、レンズプリズムモジュールの構造を簡略化し、レンズプリズムモジュールの部材数を減らし、組立工程を減らし、回転台の製作コストを低減させ、その量産を可能にする。具体的な応用では、回転駆動アセンブリにより回転台及びプリズムを固定台に対して回動駆動することによって、プリズムが回転駆動アセンブリの駆動作用下で角度を自動的に補正することができ、結像効果はより鮮明になる。
【図面の簡単な説明】
【００１７】
【図１】本発明の実施例に係るレンズプリズムモジュールの斜視図である。
【図２】図１に示すレンズプリズムモジュールの分解概略図である。
【図３】本発明の実施例に係るレンズプリズムモジュールの平面図である。
【図４】図３に示すＡ−Ａにおける断面図である。
【図５】図１に示すレンズプリズムモジュールの外枠が取り外された斜視図である。
【図６】本発明の実施例に係る回転台の斜視図である。
【図７】本発明の実施例に係る固定台の斜視図である。
【図８】本発明の実施例に係る第１接続端子の斜視図である。
【図９】本発明の実施例に係る外枠の斜視図である。
【発明を実施するための形態】
【００１８】
以下、図面及び実施形態に合わせて本発明をさらに説明する。
【００１９】
なお、本発明の実施例において、全ての方向指示（例えば、上、下、内、外、頂部、底部など）は、ある特定の姿勢（図に示されているように）での各部材間の相対的な位置関係を説明するためにのみ使用され、当該姿勢が変わると、当該方向指示もそれに応じて変わる。
【００２０】
なお、要素が別の要素に「固定」又は「設置」されていると呼ばれる場合、当該要素は、別の要素に直接あり、又は同時に仲介要素が存在し得る。要素が別の要素に「接続」されていると呼ばれる場合、当該要素は、別の要素に直接接続され、又は同時に仲介要素が存在し得る。
【００２１】
図１〜図９を参照すると、本発明の実施例は、レンズプリズムモジュール１を提供し、レンズプリズムモジュール１は、固定台１０、回転台２０、回路板３０、プリズム４０及び回転駆動アセンブリ５０を備え、回転台２０は、固定台１０に回動可能に取り付けられ、プリズム４０は、回転台２０に取り付けられ、回転台２０とともに回動することが可能であり、回路板３０は、回転駆動アセンブリ５０に電気的に接続されることにより、回転駆動アセンブリ５０に電流を供給し、回転駆動アセンブリ５０は、固定台１０と回転台２０との間に設けられることにより、回転台２０が固定台１０に対して回転するように駆動し、これによって、プリズム４０は、回転駆動アセンブリ５０による駆動下で角度を自動的に補正することができ、その結像効果はより鮮明になる。
【００２２】
図６を参照すると、本実施例では、回転台２０は、プリズム４０を取り付けて位置決めするための基台２１と、基台２１の固定台１０に向かう一方側に設けられ、基台２１が回動するように支持するための回動接続スタンド２２とを備え、回転駆動アセンブリ５０は、複数の記憶合金で製作され、回路板３０で伝送される電気信号による制御下で変形することにより、基台２１を回動させるように駆動する。本実施例では、回動接続スタンド２２は、基台２１に直接接続され、且つ回動接続スタンド２２と基台２１とは、一体成形され、回転台２０と固定台１０との間に別途他の接続部材を設ける必要がなく、このようにすると、回転台２０の構造を簡略化し、組立工程を減らし、回転台２０の製作コストを低減させることができる。
【００２３】
具体的に、基台２１は、基板２１１及び２つの側板２１２を備え、本実施例では、基板２１１は、プリズム４０を受け、基板２１１は、間隔を隔てて対向設置される２つの第１側縁２１４と、間隔を隔てて対向設置され、それぞれ第１側縁２１４に垂直に接続される２つの第２側縁２１５とを備え、２つの側板２１２は、それぞれ２つの第２側縁２１５に位置し、２つの側板２１２は、それぞれ基板２１１の２つの第２側縁２１５から固定台１０に背向する方向に向かって延在し、且つ基板２１１と２つの側板２１２とは、囲んで収容溝２１３を形成し、プリズム４０は、収容溝２１３内に取り付けられ、回動接続スタンド２２が基板２１１の固定台１０に向かう側面に凸設されることで、プリズム４０は、回動接続スタンド２２により固定台１０に対して回転することが可能になる。
【００２４】
回動接続スタンド２２は、弾性力を有し、回動接続スタンド２２は、第１弾性アーム２２１、第２弾性アーム２２２、第３弾性アーム２２３及び第４弾性アーム２２４を備え、第１弾性アーム２２１、第２弾性アーム２２２、第３弾性アーム２２３及び第４弾性アーム２２４は、いずれも弧状構造であり、且つ第１弾性アーム２２１、第２弾性アーム２２２、第３弾性アーム２２３及び第４弾性アーム２２４の一端は、固定台１０にまとめて固定され、第１弾性アーム２２１及び第２弾性アーム２２２は、それぞれ基板２１１の２つの第２側縁２１５に向けて発散して分布することで、基板２１１によってプリズム４０を第１回動軸の周りに回動させるように基板２１１を支持し、第１回動軸は、斜面１３１の傾斜方向（図１で点線Ｍで示す方向）である。第３弾性アーム２２３及び第４弾性アーム２２４の他端は、それぞれ基板２１１の２つの第１側縁２１４に向けて発散して分布することで、基板２１１によってプリズム４０を第２回動軸の周りに回動させるように基板２１１を支持し、第２回動軸は、横向き支持板１１と縦向き支持板１２との接続線に平行な方向（図１にＸ軸で示す方向）であり、第１回動軸は、第２回動軸に直交する。このように、回動接続スタンド２２と固定台１０における斜面１３１との接触部位は、回転台２０の回転支点となり、言うまでもなく、具体的な応用では、回動接続スタンド２２の構成はこれに限定されず、例えば、直接半球状であってもよい。
【００２５】
なお、本実施例では、記憶合金に電流が通電されると、記憶合金は通電によって発熱し、その自身の物理的な特性に応じて変形し、長さが短くなることで、回転台２０及びプリズム４０を回動駆動するための駆動力を生成する。具体的な使用過程では、特に電源オフ後の再起動時に、記憶合金は、レンズプリズムモジュール１を初期位置に復帰させることができない。このとき、回動接続スタンド２２の弾性力により、レンズプリズムモジュール１を初期位置に復帰させる必要がある。また、正常な使用過程では、回動接続スタンド２２は、弾性力を有するため、回転駆動アセンブリ５０が、回転台２０が固定台１０に対して回転するように駆動するという操作過程をよりスムーズにする。
【００２６】
図７を参照すると、好ましくは、固定台１０は、横向き支持板１１、縦向き支持板１２及び支持ボス１３を備え、縦向き支持板１２は、横向き支持板１１の一端から折り曲げて上へ延在するとともに、横向き支持板１１とともに囲んで凹溝１４を形成し、支持ボス１３は、凹溝１４内に凸設され、且つ支持ボス１３は、縦向き支持板１２から傾斜して横向き支持板１１まで延在する斜面１３１を有し、斜面１３１及び横向き支持板１１が形成する夾角と、斜面１３１及び縦向き支持板１２が形成する夾角とは、いずれも４５°±２°であり、回動接続スタンド２２は、斜面１３１に当接し、横向き支持板１１及び縦向き支持板１２は、回転台２０の回動角度を制限する作用をさらに有し、具体的に、横向き支持板１１の基板２１１に近接する一端は、基板２１１の一方の第１側縁２１４の直下に位置し、縦向き支持板１２の基板２１１に近接する一端は、基板２１１の他方の第１側縁２１４の直下に位置し、回動する過程において、基板２１１が回動する過程で、その２つの第１側縁２１４は、横向き支持板１１又は縦向き支持板１２に衝突する。
【００２７】
さらに、図２〜図５を参照すると、回転駆動アセンブリ５０は、第１記憶合金５１、第２記憶合金５２、第３記憶合金５３及び第４記憶合金５４を備え、プリズム４０は、記憶合金の駆動下で、角度を自動的に補正することができる。具体的な使用過程では、第１記憶合金５１及び第２記憶合金５２は、それぞれ２つの第２側縁２１５から基板２１１と固定台１０を接続して、第１記憶合金５１及び第２記憶合金５２は、基板２１１によってプリズム４０を回動接続スタンド２２と斜面１３１との接触部位を支点として第１回動軸の周りに回転させるように基板２１１を駆動する。
【００２８】
第３記憶合金５３及び第４記憶合金５４は、それぞれ２つの第１側縁２１４から基板２１１と固定台１０を接続して、第３記憶合金５３及び第４記憶合金５４は、基板２１１によってプリズム４０を回動接続スタンド２２と斜面１３１との接触部位を支点として第２回動軸の周りに回動させるように基板２１１を駆動する。
【００２９】
本実施例では、第１記憶合金５１の両端は、いずれも支持ボス１３の一方の側面に固定され、第１記憶合金５１は、中部が一方の側板２１２に引っ掛かることで「Ｖ」字状を形成し、第２記憶合金５２の両端は、いずれも支持ボス１３の他方の側面に固定され、第２記憶合金５２は、中部が他方の側板２１２に引っ掛かることで「Ｖ」字状を形成し。第３記憶合金５３の両端は、いずれも横向き支持板１１の凹溝１４に背向する側面に固定され、第３記憶合金５３は、中部が基板２１１の一方の第１側縁２１４に引っ掛かることで「Ｖ」字状を形成し、第４記憶合金５４の両端は、いずれも縦向き支持板１２の凹溝１４に背向する側面に固定され、第４記憶合金５４は、中部が基板２１１の他方の第１側縁２１４に引っ掛かることで「Ｖ」字状を形成する。
【００３０】
好ましくは、レンズプリズムモジュール１は、間隔を隔てて支持ボス１３の一方側に取り付けられる２つの第１接続端子６０と、間隔を隔てて支持ボス１３の他方側に取り付けられる２つの第２接続端子７０と、間隔を隔てて横向き支持板１１の凹溝１４に背向する面に取り付けられる２つの第３接続端子８０と、間隔を隔てて縦向き支持板１２の凹溝１４に背向する側面に取り付けられる２つの第４接続端子９０とを備え、２つの側板２１２の収容溝２１３に背向する一方側には、いずれも第１掛け柱２３が凸設され、基板２１１の凹溝１４に向かう一方側において、２つの第１側縁２１４に近接する部位には、いずれも第２掛け柱２４が凸設されている。
【００３１】
第１記憶合金５１の中部は、一方の側板２１２の第１掛け柱２３に引っ掛かり、第１記憶合金５１の両端は、それぞれ２つの第１接続端子６０に接続され、第２記憶合金５２の中部は、他方の側板２１２の第１掛け柱２３に引っ掛かり、第２記憶合金５２の両端は、それぞれ２つの第２接続端子７０に接続され、第３記憶合金５３の中部は、一方の第２掛け柱２４に引っ掛かり、第３記憶合金５３の両端は、それぞれ２つの第３接続端子８０に接続され、第４記憶合金５４の中部は、他方の第２掛け柱２４に引っ掛かり、第４記憶合金５４の両端は、それぞれ２つの第４接続端子９０に接続され、第１接続端子６０、第２接続端子７０、第３接続端子８０及び第４接続端子９０は、いずれも回路板３０に電気的に接続され、回路板３０は、４つの接続端子により、対応する記憶合金に電流を提供する。
【００３２】
さらに図８を参照すると、上述した底座には、さらに複数の突起１６が凸設され、また、回路板３０には、突起１６に嵌合する貫通孔３１が設けられ、各接続端子には、突起１６に嵌合する係止口６１、及び対応する記憶合金を係止するクランプ部６２が設けられ、各突起１６は、それぞれ回路板３０における各貫通孔３１に穿設されて、対応する接続端子における係止口６１にロック固定される。
【００３３】
横向き支持板１１の支持ボス１３に背向する側面には、第３記憶合金５３を避けるための第１退避溝１１１が設けられ、縦向き支持板１２の支持ボス１３に背向する側面には、第４記憶合金５４を避けるための第２退避溝１２１が設けられることで、第３記憶合金５３及び第４記憶合金５４が動作中に固定台１０に干渉することを回避するとともに、第３記憶合金５３及び第４記憶合金５４を固定台１０に粗位置決めすることができ、本実施例では、固定台１０には、さらに回路板３０を取り付けるための連通溝１５が設けられ、第１退避溝１１１は、連通溝１５を介して第２退避溝１２１に連通する。
【００３４】
具体的な操作時に、図１に示すように、第１記憶合金５１が通電によって発熱して短くなると、基台２１が斜め下方への引っ張り力を受けることで、基台２１が回動接続スタンド２２と斜面１３１との接触部位を支点として点線Ｍで示す方向を回転軸としＸ軸正方向へ回動し、これによって、プリズム４０が固定台１０に対して点線Ｍで示す方向を回転軸としてＸ軸正方向へ回動するようになり、一方、第２記憶合金５２が通電によって発熱して短くなると、プリズム４０は、固定台１０に対して点線Ｍで示す方向を回転軸としてＸ軸負方向へ回動可能であり、第３記憶合金５３が通電によって発熱して短くなると、プリズム４０は、固定台１０に対してＸ軸で示す方向を回転軸として一方向へ回動可能であり、第４記憶合金５４が通電によって発熱して短くなると、プリズム４０は、固定台１０に対してＸ軸で示す方向を回転軸として他の逆方向へ回動可能である。回動接続スタンド２２は、回転台２０を復帰するために用いられる。本願に係る記憶合金は、ＳＭＡ線と呼ばれてもよく、ここで詳細に説明しない。
【００３５】
さらに図１と図９を参照すると、レンズプリズムモジュール１は、外枠１００をさらに備え、固定台１０、回転台２０、プリズム４０、回転駆動アセンブリ５０、回路板３０、第１接続端子６０、第２接続端子７０、第３接続端子８０及び第４接続端子９０は、いずれも外枠１００内に位置し、外枠１００の隣り合う４つの側面には、それぞれ光線がプリズム４０に入るための第１開口１１０、光線がプリズム４０から屈折して出射するための第２開口１２０、第３接続端子８０を避けるための第３開口１３０、及び回路板３０が通過して設けられるための第４開口１４０が開設されている。
【００３６】
上述したのは、本発明の実施形態であり、当業者にとって、本発明の創造的構想を逸脱しない前提で、種々の改良も行ってもよいが、これらは、いずれも本発明の保護範囲に含まれると理解されるべきである。
【符号の説明】
【００３７】
１  レンズプリズムモジュール
１０  固定台
１１  横向き支持板
１１１  第１退避溝
１２  縦向き支持板
１２１  第２退避溝
１３  支持ボス
１３１  斜面
１４  凹溝
１５  連通溝
１６  突起
２０  回転台
２１  基台
２１１  基板
２１２  側板
２１３  収容溝
２１４  第１側縁
２１５  第２側縁
２２  回動接続スタンド
２２１  第１弾性アーム
２２２  第２弾性アーム
２２３  第３弾性アーム
２２４  第４弾性アーム
２３  第１掛け柱
２４  第２掛け柱
３０  回路板
３１  貫通孔
４０  プリズム
５０  回転駆動アセンブリ
５１  第１記憶合金
５２  第２記憶合金
５３  第３記憶合金
５４  第４記憶合金
６０  第１接続端子
６１  係止口
６２  クランプ部
７０  第２接続端子
８０  第３接続端子
９０  第４接続端子
１００  外枠
１１０  第１開口
１２０  第２開口
１３０  第３開口
１４０  第４開口
【図１】
2021531485.tif 000003
【図２】
2021531485.tif 000004
【図３】
2021531485.tif 000005
【図４】
2021531485.tif 000006
【図５】
2021531485.tif 000007
【図６】
2021531485.tif 000008
【図７】
2021531485.tif 000009
【図８】
2021531485.tif 000010
【図９】
2021531485.tif 000011
【国際調査報告】
2021531485.tif 000012
2021531485.tif 000013
2021531485.tif 000014
2021531485.tif 000015
2021531485.tif 000016